【事件の表示】
　特願２０１２−１４０１７９号「遊技機」拒絶査定不服審判事件〔平成２６年１月１６日出願公開、特開２０１４−４０２１号〕について、次のとおり審決する。
【結　論】
　本件審判の請求は、成り立たない。
【理　由】
第１　手続の経緯
　本願は、平成２４年６月２１日の出願であって、平成２５年１１月１１日付けで拒絶理由通知がなされ、同年１２月２５日付けで意見書が提出されるとともに手続補正がなされたが、平成２６年７月２２日付けで拒絶査定がなされ、これに対し同年１０月２８日付けで拒絶査定不服審判の請求がなされるとともに手続補正がなされたものである。
第２　平成２６年１０月２８日付けの手続補正についての補正却下の決定
［補正却下の決定の結論］
　平成２６年１０月２８日付けの手続補正を却下する。
［理由］
１．補正の内容
１−１　補正の概要
　平成２６年１０月２８日付けの手続補正（以下、「本件補正」という。）は特許請求の範囲の請求項１の記載の補正を含む補正であり、特許請求の範囲の請求項１は、
　補正前（平成２５年１２月２５日付け手続補正）の
「【請求項１】
　画像を表示する表示部と、
　抽選の結果による遊技の進行に基づき所定の演出時間を伴って行われる演出において、一または複数の要素画像を含んで構成される演出画像を前記表示部に表示する演出画像表示手段と、
　時間情報を取得する時間情報取得手段と、
　前記時間情報取得手段により取得した時間情報から予め定められた時間であると認識された場合に、前記演出とは異なる特別演出に用いる特別画像を前記演出画像表示手段による前記演出画像の表示に追加して前記表示部に表示する特別画像表示手段と、
　前記演出と前記特別演出とが同時に実行される場合に、当該演出の演出画像を前記表示部に表示するとともに、当該演出画像を前記特別画像の上に重畳させて当該表示部に表示する同時画像表示手段と、
を備えることを特徴とする遊技機。」
から、
　補正後（平成２６年１０月２８日付けの手続補正）の 
「【請求項１】
　画像を表示する表示部と、
　抽選の結果による遊技の進行に基づき所定の演出時間を伴って行われる演出において、一または複数の要素画像を含んで構成される演出画像を前記表示部に表示する演出画像表示手段と、
　時間情報を取得する時間情報取得手段と、
　前記時間情報取得手段により取得した時間情報から予め定められた
指定
を前記演出
実行する演出実行手段
を備え、
　
前記演出画像表示手段は、
　
前記指定時間よりも所定時間前から当該指定時間であると認識されるまでの間に、
、前記表示部において全体的に表示されて前記特別演出の開始を予め告知する告知画像の上に
て表
当該指定時間以降は、当該演出画像を当該表示部の上部領域または下部領域に表示して、当該特別演出に用いる特別画像を当該表示部の下部領域または上部領域に表示する
へ補正された（下線部は、補正箇所を示す。）。
１−２　補正の具体内容
（ａ）補正事項１
　本件補正前の特許請求の範囲の請求項１の「前記時間情報取得手段により取得した時間情報から予め定められた時間であると認識された場合に、前記演出とは異なる特別演出に用いる特別画像を前記演出画像表示手段による前記演出画像の表示に追加して前記表示部に表示する特別画像表示手段と、」を、本件補正後の特許請求の範囲の請求項１の「前記時間情報取得手段により取得した時間情報から予め定められた
指定
を前記演出
実行する演出実行手段
を備え、
（ｂ）補正事項２
　本件補正前の請求項１の「前記演出と前記特別演出とが同時に実行される場合に、当該演出の演出画像を前記表示部に表示するとともに、当該演出画像を前記特別画像の上に重畳させて当該表示部に表示する同時画像表示手段と、を備える」を、本件補正後の請求項１の「
前記演出画像表示手段は、前記指定時間よりも所定時間前から当該指定時間であると認識されるまでの間に、
、前記表示部において全体的に表示されて前記特別演出の開始を予め告知する告知画像の上に
て表
当該指定時間以降は、当該演出画像を当該表示部の上部領域または下部領域に表示して、当該特別演出に用いる特別画像を当該表示部の下部領域または上部領域に表示する
２．補正の適否
　審判請求人は、審判請求書において、補正事項１は、『本願明細書の段落［０１５６］〜［０１５７］、図２７等の記載に基づくものである。また、後述する「演出画像表示手段」における補正に伴って、補正前の「特別画像表示手段」の表現を改めたものであり、請求項の限定的減縮を目的とするものである。』と主張し、補正事項２は、『本願明細書の段落［０２３９］〜［０２４８］、図４０および図４１等の記載に基づくものである。…そして、この補正事項は、補正前の「同時画像表示手段」として記載される事項を限定的に減縮したものであ』ると主張している。
２−１　補正の目的について
（ａ）まず、補正事項１において、本件補正前の特許請求の範囲の請求項１の「予め定められた時間」を、本件補正後の請求項１の「予め定められた
指定
指定
　次に、補正事項１において、本件補正前の請求項１の「特別画像を」「前記演出画像の表示に追加して前記表示部に表示する特別画像表示手段」を、本件補正後の請求項１の「特別演出
を前記演出
実行する演出実行手段
　本件補正前後において、共通して「演出画像を前記表示部に表示する演出画像表示手段」を備えるものであって、本件補正後の特別演出を演出に追加することは、本件補正前の特別画像を演出画像に追加することを、技術的に意味しているものであり、文言上、「特別画像表示手段」が「
演出実行手段
（ｂ）次に、補正事項２において、本件補正前の請求項１が「予め定められた時間であると認識された場合に、」「当該演出の演出画像を前記表示部に表示するとともに、当該演出画像を前記特別画像の上に重畳させて当該表示部に表示する」構成であったところ、本件補正後の請求項１が「予め定められた
指定
当該指定時間以降は、当該演出画像を当該表示部の上部領域または下部領域に表示して、当該特別演出に用いる特別画像を当該表示部の下部領域または上部領域に表示する
　この補正によって、演出画像と特別画像とからなる２つの画像の関係が、本件補正前は、演出画像を特別画像の上に重畳させて表示するものであると記載されていたところ、本件補正後は、演出画像と特別画像とを上部領域または下部領域に分割して表示するものであると記載された。
　２つの画像を上下に分割して表示することは、２つの画像を重畳して表示することの減縮にあたるとはいえないから、本件補正後の演出画像と特別画像とを上部領域または下部領域に分割して表示することは、本件補正前の演出画像を特別画像の上に重畳させて表示することを変更するものである。
　また、本件補正後の請求項１において、新たに、「予め定められた
指定
前記指定時間よりも所定時間前から当該指定時間であると認識されるまでの間に、
、前記表示部において全体的に表示されて前記特別演出の開始を予め告知する告知画像の上に
て表
　この構成が記載されたことにより、本件補正前は、「予め定められた時間」の後に、「当該演出画像を前記特別画像の上に重畳させて当該表示部に表示する」構成であったところ、本件補正後は、「予め定められた
指定
、
告知画像の上に
て表
　本件補正前の請求項１には、「所定時間」、「告知画像」に関する構成は記載されておらず、予め定められた時間の前に演出画像と特別画像を重畳表示する構成は記載されていないから、この補正は、新たな構成を追加するものであり、本件補正前の請求項１の記載を変更するものであるといえる。
　よって、補正事項２は、本件補正前の請求項１の記載を変更するものであるから、特許法第１７条の２第５項第２号に掲げる限定的減縮を目的とするものとは認められない。
　また、本件補正が、請求項の削除、誤記の訂正、明りようでない記載の釈明のいずれにも該当しないことは明らかである。 
　以上により、本件補正は、特許法第１７条の２第５項の各号に掲げる事項を目的とするものではない。
２−２　新規事項について
　補正事項２の「当該指定時間以降は、当該演出画像を当該表示部の上部領域または下部領域に表示して、当該特別演出に用いる特別画像を当該表示部の下部領域または上部領域に表示すること」は、当初明細書等には記載されていない。
　すなわち、当初明細書等の段落【０２４６】及び【図４１】（ｂ）には、指定時間よりも所定時間前から指定時間までの間は、全体的に表示された告知画像の上に演出画像を重畳表示し、指定時間以降は、まず、全体的に表示された特別画像の上に演出画像を重畳表示してから、その後、演出画像を下部領域に表示し、特別画像を上部領域に表示することが記載されているところ、補正事項２による本件補正後の請求項１には、指定時間よりも所定時間前から指定時間までの間は、全体的に表示された告知画像の上に演出画像を重畳表示し、指定時間以降は、演出画像を上部領域または下部領域に表示し、特別画像を下部領域または上部領域に表示することが記載されている。
　したがって、本件補正後の請求項１には、指定時間以降は、まず、全体的に表示された特別画像の上に演出画像を重畳表示する事項が記載されていないため、本件補正後の請求項１は、当初明細書等の段落【０２４６】及び【図４１】（ｂ）に記載された事項であるとはいえない。
　さらに、当初明細書等の段落【０２４６】及び【図４１】（ｂ）には、演出画像を上部領域に表示し、特別画像を下部領域に表示することは、記載されていない。
　また、指定時間以降は、特別画像の上に演出画像を重畳表示せずに、演出画像を下部領域に、特別画像を上部領域に表示することと、演出画像を上部領域に表示し、特別画像を下部領域に表示することは、当初明細書等の全体をみても記載されておらず、当初明細書等の全体から自明な事項であるともいえない。
　よって、補正事項２を含む本件補正は、当初明細書等に記載された事項の範囲内においてしたものということはできず、本件補正は、特許法第１７条の２第３項の規定に違反するものである。
３．小括
　したがって、本件補正は、特許法第１７条の２第３項の規定に違反し、かつ、同条第５項の規定にも違反するので、同法第１５９条第１項において読み替えて準用する同法第５３条第１項の規定により却下すべきものである。
第３　本願発明
（１）本件補正（平成２６年１０月２８日付け手続補正）は、上記のとおり却下されたので、本願の請求項１に係る発明（以下、「本願発明」という。）は、平成２５年１２月２５日付けの手続補正書により補正された、上記第２の１．で前述した特許請求の範囲の請求項１に記載された事項により特定される次のとおりのものである。
「【請求項１】
　画像を表示する表示部と、
　抽選の結果による遊技の進行に基づき所定の演出時間を伴って行われる演出において、一または複数の要素画像を含んで構成される演出画像を前記表示部に表示する演出画像表示手段と、
　時間情報を取得する時間情報取得手段と、
　前記時間情報取得手段により取得した時間情報から予め定められた時間であると認識された場合に、前記演出とは異なる特別演出に用いる特別画像を前記演出画像表示手段による前記演出画像の表示に追加して前記表示部に表示する特別画像表示手段と、
　前記演出と前記特別演出とが同時に実行される場合に、当該演出の演出画像を前記表示部に表示するとともに、当該演出画像を前記特別画像の上に重畳させて当該表示部に表示する同時画像表示手段と、
を備えることを特徴とする遊技機。」 
（２）刊行物１
　原査定の拒絶の理由に引用された本願出願前に頒布された特開２００７−２５２５３４号公報（以下、「刊行物１」という。）には、図面とともに次の事項が記載されている（下線は、当審で付した。）。 
（ア）「【０００４】
　
図柄変動パターン演出は、所定の複数の図柄群が複数列の各列毎にスクロール等しながら順次変化し、
（イ）「【００５３】
　この
演出制御基板１５２に制御されるＬＣＤ１０６には、特図抽選の結果を報知するための図柄変動パターンの演出映像が表示され、
（ウ）「【００７５】
　これにより、
タイマ２１０は予め設定された時間をカウントすると、
タイムアップ信号を出力する
（エ）「【００８６】
　画像選択部２２６は、画面分割調整部２２８に接続されている。この画面分割調整部２２８は、現在の遊技状態情報に基づいて、同期演出画像をＬＣＤ１０６の画面全体に表示するか、画面の一部に表示するかを調整する。すなわち、
画面分割調整部２２８
は、
スーパーリーチ
となっているときに、
スーパーリーチ演出と同期演出とを同時表示させるように画面の占有領域を調整
【００８７】
　この画面分割調整部２２８は、図柄制御基板１５６に接続されており、画面分割調整が終了すると、図柄制御基板１５６を制御して、
ＬＣＤ１０６に同期演出画像
を表示させ
（オ）「【００９０】
　また、特別図柄始動入賞口１０８へ入賞すると、主制御基板１５０において特別図柄の当たり／外れの特図抽選処理が実行され、その
特図抽選結果は、ＬＣＤ１０６の演出図柄変動パターンによって報知され
演出図柄変動パターンの映像には、
リーチを経た当たり図柄の表示又は外れ図柄の表示、あるいはリーチなしの外れ図柄表示など
のパターンが用意され
（カ）「【０１００】
　図４は、予告演出及び同期演出実行のための制御フローチャートである。なお、この制御フローチャートは、予告演出及び同期演出に言及した制御の流れを示すものである。
【０１０１】
　このルーチンは、電源制御基板２００に外部電源が投入されると起動し、ステップ２５０では、タイマユニット２０４のタイマ２１０をリセット・スタートさせ、ステップ２５２へ移行する。
【０１０２】
　ステップ２５２では、
タイマ２１０による計時で予告演出実行時期となったか否かが判断され、
【０１０３】
　主制御基板１５０は、この指示に応じて、演出制御基板１５２の同期演出制御部２０２に予告演出実行指示信号を出力する。
【０１０４】
　次のステップ２５６では、同期演出制御部２０２において、遊技状態を認識し、ステップ２５８でスーパーリーチ中か否かを判断する。
【０１０５】
　このステップ２５８で肯定判定されると、スーパーリーチ演出を邪魔しないよう、予告演出は実行せず、ステップ２６０へ移行する。
ステップ２６０では、同期演出実行時期になったか否かが判断され、
【０１０６】
　ステップ２６２では、ＬＣＤ１０６上で予告演出を実行する。このステップ２６２における
予告演出の終了時期が、同期演出時期であり、
【０１０７】
　ステップ２６４では、現在の遊技状態を認識し、ステップ２６６でスーパーリーチ中か否かが判断される。
【０１０８】
　このステップ２６６で否定判定された場合は、ステップ２６８へ移行して、ＬＣＤ１０６の全面を使用して同期演出を行うことを決定してステップ２７２へ移行する。また、ステップ２６８で肯定判定された場合は、ステップ２７０へ移行して、
ＬＣＤ１０６の一部を使用して同期演出を行う
【０１０９】
　ステップ２７２では、現在の遊技状態において、抽選の結果を報知していない状態で、かつ当選期待値が所定値以上か否かが判断される。このステップ２７２で肯定判定された場合には、ステップ２７４へ移行して告知画像を付加し、ステップ２７６へ移行する。また、ステップ２７２で否定判定された場合は、ステップ２７６へ移行する。
【０１１０】
　
ステップ２７６では、同期演出を実行
（キ）上記（カ）を参照して【図４】を見ると、
同期演出実行時期であるときに
、スーパーリーチ中に
、
（ク）【図５】（Ｃ）１０Ｄから、
「スーパーリーチ演出」の「出」の文字の一部分に、「同期演出中」を重ねて表示している
（ケ）上記（カ）によれば、「タイマ２１０による計時で予告演出実行時期となったか否かが判断され、」「予告演出の終了時期が、同期演出時期であり、」「同期演出実行時期になったか否かが判断され」るのであるから、
タイマ２１０による計時を基に同期演出実行時期になったか否かが判断され
（コ）上記（エ）には、「スーパーリーチ演出と同期演出とを同時表示させるように画面の占有領域を調整」すると記載されており、上記（カ）には、「ＬＣＤ１０６の一部を使用して同期演出を行う」と記載されている。
　上記（ク）の「スーパーリーチ演出」の「出」の文字の一部分に、「同期演出中」を重ねて表示していることと、ＬＣＤ１０６の画面領域には、自ずと面積の制限があることを考慮すると、
スーパーリーチ演出の上に、同期演出中を重畳表示する
　したがって、上記事項（ア）〜（コ）を総合すると、刊行物１には、次の発明（以下、「引用発明」という。）が記載されている。
「演出映像が表示されるＬＣＤ１０６と、
　特図抽選結果を報知するものであり、所定の複数の図柄群が複数列の各列毎にスクロール等しながら順次変化し、リーチを経た当たり図柄の表示又は外れ図柄の表示、あるいはリーチなしの外れ図柄表示などのパターンが用意された演出図柄変動パターンの映像を、ＬＣＤ１０６を制御して表示する演出制御基板１５２と、
　予め設定された時間をカウントすると、タイムアップ信号を出力するタイマ２１０と、
　タイマ２１０による計時を基に同期演出実行時期になったか否かが判断され、同期演出実行時期であって、スーパーリーチとなっているときに、スーパーリーチ演出と同期演出とを同時表示させるように画面の占有領域を調整し、ＬＣＤ１０６に同期演出画像を表示させ、スーパーリーチ演出の上に、同期演出中を重畳表示する画面分割調整部２２８と、
を備えるパチンコ機１０。」 
（３）対比
　本願発明と引用発明とを対比する。
（ア）引用発明の「演出映像が表示されるＬＣＤ１０６」は、本願発明の「画像を表示する表示部」に相当し、引用発明の「パチンコ機１０」は、本願発明の「遊技機」に相当する。
（イ）引用発明の「特図抽選結果を報知するものであり、所定の複数の図柄群が複数列の各列毎にスクロール等しながら順次変化し、リーチを経た当たり図柄の表示又は外れ図柄の表示、あるいはリーチなしの外れ図柄表示などのパターンが用意された演出図柄変動パターンの映像」について、「特図抽選結果を報知するものであ」って、「リーチを経た当たり図柄の表示又は外れ図柄の表示、あるいはリーチなしの外れ図柄表示などのパターンが用意された演出図柄変動パターン」は、本願発明の「抽選の結果による遊技の進行に基づ」く「演出」に相当する。
　引用発明の「演出図柄変動パターン」が、「所定の複数の図柄群が複数列の各列毎にスクロール等しながら順次変化」するものであることは、本願発明の「一または複数の要素画像を含んで構成される」ことに相当し、引用発明の「演出図柄変動パターン」が、「順次変化」するものであり、「リーチを経」ることは、本願発明の「所定の時間変化を伴って行われる」ことに相当する。
　そして、引用発明の「演出図柄変動パターンの映像」は、本願発明の「演出画像」に相当し、引用発明の「演出図柄変動パターンの映像を、ＬＣＤ１０６を制御して表示する演出制御基板１５２」は、本願発明の「演出画像表示手段」に相当する。
（ウ）引用発明の「予め設定された時間をカウントすると、タイムアップ信号を出力するタイマ２１０」は、本願発明の「時間情報を取得する時間情報取得手段」に相当する。
（エ）引用発明の「タイマ２１０による計時を基に」及び「同期演出実行時期」は、それぞれ、本願発明の「前記時間情報取得手段により取得した時間情報から」及び「予め定められた時間」に相当するから、引用発明の「タイマ２１０による計時を基に同期演出実行時期になったか否かが判断され、同期演出実行時期であるときに、」は、本願発明の「前記時間情報取得手段により取得した時間情報から予め定められた時間であると認識された場合に、」に相当する。
　引用発明の「スーパーリーチ演出」は、本願発明の「抽選の結果による遊技の進行に基づき所定の演出時間を伴って行われる演出」に相当するものであり、引用発明の「同期演出」は、抽選の結果による遊技の進行に基づく演出ではなくスーパーリーチ演出とは異なるものであるから、本願発明の「前記演出とは異なる特別演出」に相当し、引用発明の「同期演出画像」は、本願発明の「特別演出に用いる特別画像」に相当する。
　そして、引用発明の「スーパーリーチとなっているとき」は、本願発明の「前記演出画像表示手段による前記演出画像の表示」がなされているときに相当し、引用発明の「スーパーリーチとなっているときに、スーパーリーチ演出と同期演出とを同時表示させるように画面の占有領域を調整し、ＬＣＤ１０６に同期演出画像を表示させ」る「画面分割調整部２２８」は、本願発明の「前記演出画像表示手段による前記演出画像の表示に追加して前記表示部に表示する特別画像表示手段」に相当する。
（オ）引用発明の「スーパーリーチ演出と同期演出とを同時表示させる」「同期演出実行時期」は、本願発明の「前記演出と前記特別演出とが同時に実行される場合」に相当する。
　また、引用発明の「スーパーリーチとなっているとき」は、本願発明の「当該演出の演出画像を前記表示部に表示する」ときに相当する。
　そして、引用発明の「スーパーリーチ演出の上に、同期演出中を重畳表示する画面分割調整部２２８」は、本願発明の「当該演出画像を前記特別画像の上に重畳させて当該表示部に表示する同時画像表示手段」と、「当該演出画像を前記特別画像」「に重畳させて当該表示部に表示する同時画像表示手段」である点で共通する。
　そうすると、両者の一致点、相違点は以下のとおりである。 
（一致点） 
 「画像を表示する表示部と、
　抽選の結果による遊技の進行に基づき所定の演出時間を伴って行われる演出において、一または複数の要素画像を含んで構成される演出画像を前記表示部に表示する演出画像表示手段と、
　時間情報を取得する時間情報取得手段と、
　前記時間情報取得手段により取得した時間情報から予め定められた時間であると認識された場合に、前記演出とは異なる特別演出に用いる特別画像を前記演出画像表示手段による前記演出画像の表示に追加して前記表示部に表示する特別画像表示手段と、
　前記演出と前記特別演出とが同時に実行される場合に、当該演出の演出画像を前記表示部に表示するとともに、当該演出画像を前記特別画像に重畳させて当該表示部に表示する同時画像表示手段と、
を備えることを特徴とする遊技機。」
（相違点）
　「当該演出画像」と「前記特別画像」の「重畳」「表示する同時画像表示手段」について、本願発明は、「当該演出画像を前記特別画像の上に重畳させ」るのに対して、引用発明は、同期演出画像（特別画像）をスーパーリーチ演出の画像（演出画像）に重畳させる点。
（４）当審の判断
　抽選の結果による遊技の進行に基づく演出と、前記演出とは異なる特別演出とを同時に実行して、抽選の結果による遊技の進行に基づく演出の画像と、特別演出画像とを重畳させて表示部に表示する場合に、どちらの画像を上にして重畳するかは、遊技者に対する演出の効果等を考慮して、適宜選択すべき設計的事項といえる。
　そして、抽選の結果による遊技の進行に基づく演出と、前記演出とは異なる特別演出とを同時に実行する場合に、抽選の結果による遊技の進行に基づく演出画像を、特別演出画像の上に重畳させて表示部に表示することは、例えば、特開２００９−３４５５０号公報（明細書段落【０１０２】、【図５８】には、広告画像を背景として当否判定図柄をスーパーインポーズ表示することが開示されている。）、特開平９−２９９５９３号公報（明細書段落【００３８】、【図６】（ａ）には、外部画像中に遊技画像をスーパーインポーズした表示例が開示されている。）等に開示されているように、遊技機の画像演出において周知技術である。
　したがって、引用発明の同時画像表示手段において、前記周知技術を採用し、前記相違点に係る本願発明の構成にすることは設計的事項の範囲内のことであり、当業者が容易になし得ることである。
　そして、本願発明の作用効果は、引用発明及び周知技術からみて格別なものではない。 
　よって、本願発明は、引用発明及び周知技術に基づいて、当業者が容易に発明をすることができたものであるので、特許法第２９条第２項の規定により特許を受けることができない。
（５）むすび 
　以上のとおり、本願発明は、特許法第２９条第２項の規定に基づいて特許を受けることができないものである。
　よって、結論のとおり審決する。